(57)【要約】      （修正有）【課題】防水性ファスナーを備えるスーツケースにおいて、一条当たり２個のスライダーを有する場合であっても防水性能を強化することができるスーツケースを提供する。【解決手段】ファスナー２０は、一条当たり２個のスライダー３１、３２を有している。２個のスライダー３１、３２は、所定位置においてスライダーカバー４０で覆われる。スライダーカバー４０の開閉カバー５２に、パッキン６０が備えられている。このパッキン６０が２個のスライダー３１、３２間の隙間を覆って、防水性能を強化する。【選択図】図２
0003216841.tif 000002
【実用新案登録請求の範囲】
【請求項１】
ケース本体と、このケース本体の開口を塞ぐ蓋体と、この蓋体と前記ケース本体を開閉自在に繋ぐファスナーとを備えているスーツケースにおいて、
前記ファスナーは、防水性を有すると共に、一条当たり２個のスライダーを有し、
前記２個のスライダーは、所定位置でスライダーカバーで覆われ、
このスライダーカバーは、前記所定位置にある前記２個のスライダーを覆って前記２個のスライダー間の防水性を高めるパッキンを備えていることを特徴とするスーツケース。
【請求項２】
請求項１記載のスーツケースであって、
前記スライダーカバーは、前記ケース本体と前記蓋体の一方に固定されたカバーベースと、前記ケース本体と前記蓋体の他方にヒンジを介して取付けられ前記カバーベースに嵌る又は外れる開閉カバーと、からなり、
前記カバーベースに、前記ファスナーに付属する引き手を収納する凹部を備え、
前記開閉カバーに、前記パッキンが備えられていることを特徴とするスーツケース。
【請求項３】
請求項１又は請求項２記載のスーツケースであって、
前記パッキンは、シリコンゴムであることを特徴とするスーツケース。
【請求項４】
請求項２又は請求項３記載のスーツケースであって、
前記パッキンは、面ファスナーにより前記開閉カバーに着脱可能に備えられていることを特徴とするスーツケース。
【考案の詳細な説明】
【技術分野】
【０００１】
本考案は、防水性を高めたスーツケースに関する。
【背景技術】
【０００２】
宿泊を伴う旅行には、大量の衣類等が運べるスーツケースが欠かせない。多くのスーツケースは、ポリカーボネート（ＰＣ）やポリプロピレン（ＰＰ）で造られ、ある程度の防水性を有する。
弱点は、ケース本体と蓋体とを繋ぐファスナーであり、ファスナーから水が侵入する。そのため、降水時にはスーツケースを全体的に覆う防水カバーの使用が推奨される。
【０００３】
しかし、防水カバーは着脱が煩わしい。取り外した防水カバーの保管も面倒である。対策として、ファスナーに防水性能を付与した防水性ファスナーを備えるスーツケースが提案されてきた（例えば、特許文献１参照）。防水性ファスナーであれば、防水カバーは不要となり、防水カバーの脱着や保管が不要となる。
【０００４】
特許文献１の技術を、図１０〜図１２に基づいて以下に説明する。
図１０は従来の防水性ファスナーの横断面図であり、防水性ファスナー１００は、一方のテープ１０１と、このテープ１０１に取付けられたファスナー歯列１０２と、他方のテープ１０３と、このテープ１０３に取付けられたファスナー歯列１０４と、一対のファスナー歯列１０２、１０４を噛み合い状態又は分離状態にするスライダー１０５と、一方のテープ１０１に取付けられスライダー１０５まで延びる一方の防水シート１０７と、他方のテープ１０３に取付けられスライダー１０５まで延びる他方の防水シート１０８とからなる。
【０００５】
図１１（ａ）に示すように、第１の防水シート１０７の先端には、第１の玉１０７ａと第１の溝１０７ｂが設けられている。第２の防水シート１０８の先端にも、第２の玉１０８ａと第２の溝１０８ｂが設けられている。
図１１（ｂ）に示すように、第１の玉１０７ａが第２の溝１０８ｂに嵌り、第２の玉１０８ａが第１の溝１０７ｂに嵌まることにより、機密性及び防水性能が付与される。
【０００６】
図１２は従来の防水性ファスナーの縦断面図であり、一方のスライダー１０５の上部に傾斜溝１０５ａが設けられている。この傾斜溝１０５ａにより、第１の玉１０７ａが第２の溝１０８ｂに嵌められる。
同様に、他方のスライダー１０６の上部に傾斜溝１０６ａが設けられている。この傾斜溝１０６ａにより、第１の玉１０７ａが第２の溝１０８ｂに嵌められる。
【０００７】
ただし、図１２中、Ｌ０で示す範囲では、第１の玉１０７ａが第２の溝１０８ｂに嵌まっていない。スライダー１０５、１０６が通り過ぎないと嵌め込みが完了しないからである。
一条当たり２個のスライダー１０５、１０６を有する場合、一方のスライダー１０５と他方のスライダー１０６とを突き当てても、不可避的に防水不完全部（範囲Ｌ０）が出現する。
ファスナーに、一条当たり２個のスライダー１０５、１０６を有する場合であっても、防水性能を強化することが求められる。
【先行技術文献】
【特許文献】
【０００８】
【特許文献１】実用新案登録第３０６３８０３号公報
【考案の概要】
【考案が解決しようとする課題】
【０００９】
本考案は、防水性ファスナーを備えるスーツケースにおいて、一条当たり２個のスライダーを有する場合であっても防水性能を強化することができるスーツケースを提供することを課題とする。
【課題を解決するための手段】
【００１０】
請求項１に係る考案は、ケース本体と、このケース本体の開口を塞ぐ蓋体と、この蓋体と前記ケース本体を開閉自在に繋ぐファスナーとを備えているスーツケースにおいて、
前記ファスナーは、防水性を有すると共に、一条当たり２個のスライダーを有し、
前記２個のスライダーは、所定位置でスライダーカバーで覆われ、
このスライダーカバーは、前記所定位置にある前記２個のスライダーを覆って前記２個のスライダー間の防水性を高めるパッキンを備えていることを特徴とする。
【００１１】
請求項２に係る考案は、請求項１記載のスーツケースであって、
前記スライダーカバーは、前記ケース本体と前記蓋体の一方に固定されたカバーベースと、前記ケース本体と前記蓋体の他方にヒンジを介して取付けられ前記カバーベースに嵌る又は外れる開閉カバーと、からなり、
前記カバーベースに、前記ファスナーに付属する引き手を収納する凹部を備え、
前記開閉カバーに、前記パッキンが備えられていることを特徴とする。
【００１２】
請求項３に係る考案は、請求項１又は請求項２記載のスーツケースであって、
前記パッキンは、シリコンゴムであることを特徴とする。
【００１３】
請求項４に係る考案は、請求項２又は請求項３記載のスーツケースであって、
前記パッキンは、面ファスナーにより前記開閉カバーに着脱可能に備えられていることを特徴とする。
【考案の効果】
【００１４】
請求項１に係る考案では、２個のスライダーを覆うスライダーカバーを備え、このスライダーカバーにパッキンを備えている。
パッキンで、２個のスライダー間の防水性を高めることができるので、一条当たり２個のスライダーを有する場合であっても防水性能が強化されたスーツケースが提供される。
【００１５】
また、２個のスライダーが露出していると、スライダーが悪戯される心配がある。この点、請求項１では、２個のスライダーがスライダーカバーで隠されるため、悪戯される心配が無く、防水性に加えて防犯性に優れたスーツケースが提供される。
【００１６】
請求項２に係る考案では、スライダーカバーは、カバーベースと開閉カバーとで構成され、カバーベースに引き手を収納する凹部が設けられている。
凹部に引き手を収納させと、２個のスライダーが確実にスライダーカバーで覆われる。２個のスライダーが確実にスライダーカバーで覆われるため、防犯性に優れたスーツケースが提供される。
【００１７】
請求項３に係る考案では、パッキンは、防水性に優れたシリコンゴムである。シリコンゴムは、珪素をベースとした弾性体である。防水性と弾力性と富む上に、入手が容易で安価である。
【００１８】
請求項４に係る考案では、パッキンは、面ファスナーにより開閉カバーに着脱可能に備えられているので、傷んだパッキンを、何時でも新品のパッキンに交換することができる。
【図面の簡単な説明】
【００１９】
【図１】本考案に係るスーツケースの側面図であって、開閉カバーが閉じているときのスーツケースの側面図である。
【図２】開閉カバーが開いているときのスーツケースの側面図である。
【図３】防水性を有するファスナーの断面図である。
【図４】スライダーカバーの構造を説明する図である。
【図５】開閉カバーが閉じているときのスライダーカバーを説明する図である。
【図６】図５の６−６矢視図（ただし、要部は破断）である。
【図７】別のファスナーの平面図である。
【図８】更に別のファスナーの断面図である。
【図９】面ファスナーでパッキンを固定する構造を説明する図である。
【図１０】従来のファスナーの横断面図である。
【図１１】従来のファスナーの防水機能を説明する図である。
【図１２】従来のファスナーの縦断面図である。
【考案を実施するための形態】
【００２０】
本考案の実施の形態を添付図に基づいて以下に説明する。
【実施例】
【００２１】
図１に示すように、スーツケース１０は、ケース本体１１と、このケース本体１１の開口を塞ぐ蓋体１３と、この蓋体１３とケース本体１１を開閉自在に繋ぐファスナー２０と、このファスナー２０を局部的に覆うスライダーカバー４０と、ケース本体１１及び蓋体１３の底に設けたキャスター１４と、ケース本体１１に設けた伸縮ハンドル１５と、非伸縮形のハンドル１６とを備えている。
【００２２】
図１では、スライダーカバー４０は、閉じている。スライダーカバー４０を開状態にすると、図２のようになる。
図２に示すように、ファスナー２０は、一条当たり２個のスライダー３１、３２を有している。その他の構成要素は、図１と同じであるため、図１の符号を流用し、詳細な説明は省略する。
【００２３】
図３は、ファスナーの構造及び作用を説明する図であり、図３（ｂ）は、図２の３ｂ−３ｂ線断面図である。
図３（ａ）に示すように、ケース本体１１に、一方のチャンネル２１及び一方のテープ２２を載せ、これらをケース本体１１に糸２３で縫って固定する。縫製後にチャンネル２１をＵ字状にして、糸２３を隠すようにする。
【００２４】
さらに、一方のテープ２２の先端に一方のファスナー歯列２４が設けられている。加えて、ケース本体１１の端部には、先端が谷形のシール材２５が取付けられている。この谷形のシール材２５は、一方のファスナー歯列２４の下に配置される。
【００２５】
また、蓋体１２に、他方のチャンネル２６及び他方のテープ２７を載せ、これらを蓋体１２に糸２３で縫って固定する。縫製後にチャンネル２６をＵ字状にして、糸２３を隠すようにする。
【００２６】
さらに、他方のテープ２７の先端に他方のファスナー歯列２８が設けられている。加えて、蓋体１２の端部には、先端が山形のシール材２９が取付けられている。この山形のシール材２９は、他方のファスナー歯列２８の下に配置される。
【００２７】
後述するスライダーで、一方のファスナー歯列２４に他方のファスナー歯列２８を噛み合わせると、シール材２５の谷にシール材２９の山が密着する。
図３（ｂ）に示すように、谷形のシール材２５が山形のシール材２９に密着することで、防水性能が発揮される。
【００２８】
なお、本考案での防水性能や防水性は、完全防水の他、簡易防水（生活防水とも呼ばれる。）や防滴を含む。
完全防水は、水中において水圧を受けても漏れない水密性能を意味する。
簡易防水（生活防水）は、降水時の雨水程度に対応する程度の水密性能を意味する。
防滴は、滴下する水滴に対応する程度の水密性能を意味する。
【００２９】
図４（ａ）に示すように、一条当たり２個のスライダー３１、３２を有する場合、一方のスライダー３１に他方のスライダー３２を当てても、２個のスライダー３１、３２の間では、一方のファスナー歯列２４に対して他方のファスナー歯列２８が、不可避的に離れる。結果、範囲Ｌ１が、不完全噛み合い部となる。この範囲Ｌ１では、図３（ｂ）で説明したシール材２５がシール材２９からある程度離れる。離れると防水性能が低下する。
【００３０】
その対策を、以下に説明する。
図４（ｂ）に示すように、スライダーカバー４０は、ケース本体１１（又は、蓋体１２）に固定されたカバーベース４１と、蓋体１２（又はケース本体１１）にヒンジ５１を介して取付けられた開閉カバー５２とからなる。ヒンジ５１には、開閉カバー５２を開側へ付勢するトーションばね５３が設けられている。
【００３１】
カバーベース４１は、平たい矩形のボックスであって、一方のファスナー歯列２４に沿った部位に凹部４２を有し、この凹部４２を挟むようにして両側面にロック爪４３、４３を有し、適所にアンロックノブ４４と、キー穴４５と、暗唱番号用ダイヤル４６とを有する。
【００３２】
凹部４２は、２個の引き手３３、３４を収納し得る大きさの窪みであればよく、大きさ、形状は適宜変更可能である。凹部４２に引き手３３、３４を仮止めするピンを立ててもよい。また、カバーベース４１に永久磁石を埋設して、凹部４２に引き手３３、３４を磁気で仮止めするようにしてもよい。
【００３３】
開閉カバー５２は、平板部５４と、この平板部５４の両辺に立てた一対の側壁部５５と、ヒンジ５１側に立てた奥壁部５６とからなり、一対の側壁部５５に、ロック爪４３に対応するフック部５７が設けられている。
加えて、平板部５４の中央に浅い窪み５８が形成されており、この窪み５８に、直方体状のパッキン６０が接着剤などにより取付けられる（矢印（１））。
【００３４】
矢印（２）の如く、開閉カバー５２を閉じる。ロック爪４３にフック部５７が引っ掛かるため、開閉カバー５２は閉じ位置に保たれる。
図５に示すように、開閉カバー５２は閉じ位置に保たれる。ダイヤル４６が所定の暗唱番号に合わされるか又はキー穴４５に所定のキーが差し込まれ回されるまでは、開閉カバー５２が開く心配は無い。
【００３５】
仮に、２個のスライダー３１、３２が露出していると、スライダー３１、３２が悪戯される心配がある。この点、本実施例では、２個のスライダー３１、３２がスライダーカバー４０で隠されるため、悪戯される心配が無い。
【００３６】
ダイヤル４６が所定の暗唱番号に合わされるか又はキー穴４５に所定のキーが差し込まれ回された後に、アンロックノブ４４が人為的に押されると、ロック爪４３が後退し、トーションばね５３の作用で開閉カバー５２は開き、図４（ｂ）の形態になる。
【００３７】
図６は、図５の６−６矢視図であり、スライダー３１、３２が、パッキン６０で覆われている。そのため、図４（ａ）で説明した２個のスライダー３１、３２の間（範囲Ｌ１）がパッキン６０で塞がれ、防水処置が講じられる。
よって、防水性を有するファスナー２０を備えるスーツケース１０において、一条当たり２個のスライダー３１、３２を有する場合であっても防水性能を強化することができるスーツケースが提供される。
【００３８】
なお、パッキン６０は、ゴムブロックや軟質樹脂ブロックが広く適用でき、格別に材質や形状は限定されない。しかし、パッキン６０は、シリコンゴムが好適である。
シリコンゴムは、珪素に適当な物質を配合して得た樹脂系ゴムであり、弾性性能と防水性能を発揮する。シリコンゴムは、日用品や医療品に広く利用され、安価である。品質的にも安定している。よって、シリコンゴムは、スーツケース１０の防水補強材として好適である。
【００３９】
また、防水性を有するファスナー２０は、図３に説明した構造に限定されるものではない。その具体例を、図７、図８に基づいて説明する。
図７に示すように、一方のファスナー歯列２４及び他方のファスナー歯列２８を、軟質樹脂のような弾性体で構成する。一方のファスナー歯列２４及び他方のファスナー歯列２８が弾性変形しつつ、水密性能を発揮する。
【００４０】
又は、図８（ａ）に示すように、一方のファスナー歯列２４を一方のテープ２２でＵ字状に囲った上で、一方のテープ２２をＵ環６２で圧縮する。多数個のＵ環６２が、図面表裏方向に並んでいる。
同様に、他方のファスナー歯列２８を他方のテープ２７でＵ字状に囲った上で、他方のテープ２７をＵ環６２で圧縮する。
図８（ｂ）に示すように、スライダーで一方のファスナー歯列２４に他方のファスナー歯列２８を噛み合わせると、一方のテープ２２と他方のテープ２７とが互いに圧縮され、水密性能を発揮する。
【００４１】
よって、本考案におけるファスナー２０は、防水性を有すればよく、図３、図７及び図８で説明したものを含め、構造や種類は問わない。
【００４２】
本考案のパッキン６０は、開閉カバー５２に接着固定することは差し支えないが、交換を考えると、面ファスナーで着脱可能に取付けることが推奨される。この具体例を図９に基づいて説明する。
【００４３】
図９（ａ）に示すように、面ファスナー半体６５と面ファスナー半体６６とからなる面ファスナー６４を準備する。一方の面ファスナー半体６５には、片面に雌側突起（又は雄側突起）６５ａが無数に設けられている。他方の面ファスナー半体６６には、片面に雄側突起（又は雌側突起）６６ａが無数に設けられている。雄側突起６６ａに雌側突起６５ａが絡みつくことで、面ファスナー半体６６に面ファスナー半体６５が貼り付く。一定の引き剥がし力を与えると、面ファスナー半体６６から面ファスナー半体６５が剥がれる。
【００４４】
予め、一方の面ファスナー半体６５をパッキン６０の底に接着剤で貼り付けておく。
また、他方の面ファスナー半体６６を開閉カバー５２の例えば窪み５８に接着剤で貼り付けておく。
【００４５】
図９（ｂ）に示すように、面ファスナー６４により開閉カバー５２にパッキン６０を着脱可能に取付ける。別途、スペアーとして、面ファスナー半体６５を有するパッキン６０Ｎをストックしておく。傷んだパッキン６０を、何時でも新品のパッキン６０Ｎに交換することができる。この交換により、防水性能を一定以上に維持することができる。
【００４６】
尚、本考案は、狭義のスーツケースに留まらず、トランクやキャリーケース等のハードケースに広く適用できる。
また、スライダーカバー４０の構造については、図４〜図６で説明した構造は、好適な一例を示したに過ぎず、適宜変更することは差し支えない。
【産業上の利用可能性】
【００４７】
本考案は、防水性能を要求されるスーツケースに好適である。
【符号の説明】
【００４８】
１０…スーツケース、１１…ケース本体、１２…蓋体、２０…ファスナー（防水性を有するファスナー）、３１、３２…スライダー、３３、３４…引き手、４０…スライダーカバー、４１…カバーベース、４２…凹部、５１…ヒンジ、５２…開閉カバー、６０…パッキン、６４…面ファスナー。
【図１】
0003216841.tif 000003
【図２】
0003216841.tif 000004
【図３】
0003216841.tif 000005
【図４】
0003216841.tif 000006
【図５】
0003216841.tif 000007
【図６】
0003216841.tif 000008
【図７】
0003216841.tif 000009
【図８】
0003216841.tif 000010
【図９】
0003216841.tif 000011
【図１０】
0003216841.tif 000012
【図１１】
0003216841.tif 000013
【図１２】
0003216841.tif 000014
【手続補正書】
【提出日】平成30年4月27日(2018.4.27)
【手続補正１】
【補正対象書類名】実用新案登録請求の範囲
【補正対象項目名】請求項４
【補正方法】変更
【補正の内容】
【請求項４】
請求項２記載のスーツケースであって、
前記パッキンは、面ファスナーにより前記開閉カバーに着脱可能に備えられていることを特徴とするスーツケース。
【手続補正２】
【補正対象書類名】明細書
【補正対象項目名】００１３
【補正方法】変更
【補正の内容】
【００１３】
請求項４に係る考案は、請求項２記載のスーツケースであって、
前記パッキンは、面ファスナーにより前記開閉カバーに着脱可能に備えられていることを特徴とする。